(57)【特許請求の範囲】
【請求項１】
床面に立設された左右方向を向くパネル支持体に、左右方向を向くスペーサ部材を、前方に突出するように設け、このスペーサ部材の前面に、前面パネルを、前記パネル支持体の前面と平行をなすように前方に突出させて取付けることにより、前面パネルと前記パネル支持体との対向面間に、少なくとも上方と左右両方向に開口する通線空間を形成し、かつ前記スペーサ部材の上面を、前記前面パネルの上端よりも下方に配置することにより、スペーサ部材の上面を配線トレーとし、さらに、前記パネル支持体における前記スペーサ部材の取付部の上方に、パネルを、スペーサ部材を使用することなく直接取付けたことを特徴とする間仕切りパネル。
【請求項２】
パネル支持体の上部もしくは中間部と、下部とに、それぞれスペーサ部材としての上部パネル支持部材と下部パネル支持部材を取付け、この上部及び下部パネル支持部材の前端部に、前面パネルの後面の上下の端部を、それらの対向部に設けた係止手段をもって着脱自在に係止してなる請求項１記載の間仕切りパネル。
【請求項３】
上部パネル支持部材を、左右方向を向くとともに、側面視上向きコ字状をなすものとすることにより、前記上部パネル支持部材が、通線空間の上部を覆いうるカバー部材と、ケーブル等を載置しうる配線トレーとを兼ねるようにしてなる請求項２記載の間仕切りパネル。
【請求項４】
上部パネル支持部材に、上下両方向に開口する配線挿通口を設けてなる請求項３記載の間仕切りパネル。
【請求項５】
パネル支持体の前面に、左右方向を向く配線ダクトを、通線空間内において上下位置を変更しうるように取付けてなる請求項１〜４のいずれかに記載の間仕切りパネル。
【請求項６】
配線ダクトに、上下両方向に開口する配線挿通口を設けてなる請求項５記載の間仕切りパネル。
【請求項７】
配線ダクトの前面を、前面パネルの後面に近接または当接させてなる請求項５または６記載の間仕切りパネル。
【請求項８】
前面パネルの上端の高さを、この前面パネルと近接する前方に設置された机等の天板の上面と等高、もしくはやや下位となるようにしてなる請求項１〜７のいずれかに記載の間仕切りパネル。
【請求項９】
パネル支持体におけるスペーサ部材の取付部から上下方向に外れた部分に、左右方向を向くとともに、前面に前方に開口するあり溝状の係止溝を有する横杆を設け、この横杆の係止溝に、オプション部材を、前面パネルの前方に突出するようにして取付けてなる請求項１〜８のいずれかに記載の間仕切りパネル。
【発明の詳細な説明】
【技術分野】
【０００１】
本発明は、パネル支持体と、それに取り付けられるパネルとの間に、通線空間を設けてなる間仕切りパネルに関する。
【背景技術】
【０００２】
通線空間を内部に有する間仕切りパネルは、例えば特許文献１〜３に記載されており、公知である。
【特許文献１】特開２０００−７３４７７号公報
【特許文献２】特許第３５００３００号公報
【特許文献３】特許第３８７１１５８号公報
【発明の開示】
【発明が解決しようとする課題】
【０００３】
上記特許文献１及び２に記載されている間仕切りパネルにおいては、いずれも、枠状をなすパネル支持体(フレーム)の前後両面にパネルを当接させて取付け、両パネルの対向面と、パネル支持体における左右の支柱の対向面との間の空間を通線空間とし、この通線空間内において両支柱の対向面に取付けた配線ダクトまたはケーブル支持具により支持したケーブルを、パネルの側端部内面に設けた凹溝またはパネルの前面に設けた隙間等を通して、外部に配線しうるようにしている。
【０００４】
このように、パネル支持体の前後両面に、パネルを当接させて取付け、かつパネル支持体における左右の支柱の対向面間を通線空間とすると、通線空間の前後幅が限られるため、通線可能な空間が小さくなる。
そのため、通線空間に、例えば間仕切パネルに近接して配置された机で使用されるＯＡ機器等のケーブルなどを、大量に収容して配線することができず、またそれらを、机の周囲に露呈させて配線すると、体裁が悪くなる。
【０００５】
特許文献３に記載のものにおいては、間仕切パネルにおける支柱に、目隠しパネルを、側板を介して、間仕切パネルの前面または後面より離間させて取付け、両パネルの対向面間に通線空間を設けているので、上記特許文献に記載のものに比して、大容量のケーブル等を収容しうる利点がある。
しかし、通線空間内には、ケーブル等を支持する手段が設けられていないので、大容量のケーブルを左右方向に整然と並べて配線したり、付属機器等を載置したりすることができない。
【０００６】
本発明は、上記問題点に鑑みてなされたもので、パネル支持体とパネルとの間に、比較的大きな通線空間を形成し、かつ通線空間内にケーブル等の支持手段を設けることにより、大容量のケーブル等を、通線空間内に整然と並べて配線しうるようにした間仕切りパネルを提供することを目的としている。
【課題を解決するための手段】
【０００７】
本発明によると、上記課題は、次のようにして解決される。
（１）床面に立設された左右方向を向くパネル支持体に、左右方向を向くスペーサ部材を、前方に突出するように設け、このスペーサ部材の前面に、前面パネルを、前記パネル支持体の前面と平行をなすように前方に突出させて取付けることにより、前面パネルと前記パネル支持体との対向面間に、少なくとも上方と左右両方向に開口する通線空間を形成し、かつ前記スペーサ部材の上面を、前記前面パネルの上端よりも下方に配置することにより、スペーサ部材の上面を配線トレーとし、さらに、前記パネル支持体における前記スペーサ部材の取付部の上方に、パネルを、スペーサ部材を使用することなく直接取付ける。
【０００８】
（２）上記(１)項において、パネル支持体の上部もしくは中間部と、下部とに、それぞれスペーサ部材としての上部パネル支持部材と下部パネル支持部材を取付け、この上部及び下部パネル支持部材の前端部に、前面パネルの後面の上下の端部を、それらの対向部に設けた係止手段をもって着脱自在に係止する。
【０００９】
（３）上記(２)項において、上部パネル支持部材を、左右方向を向くとともに、側面視上向きコ字状をなすものとすることにより、前記上部パネル支持部材が、通線空間の上部を覆いうるカバー部材と、ケーブル等を載置しうる配線トレーとを兼ねるようにする。
【００１０】
（４）上記(３)項において、上部パネル支持部材に、上下両方向に開口する配線挿通口を設ける。
【００１１】
（５）上記(１)〜(４)項のいずれかにおいて、パネル支持体の前面に、左右方向を向く配線ダクトを、通線空間内において上下位置を変更しうるように取付ける。
【００１２】
（６）上記(５)項において、配線ダクトに、上下両方向に開口する配線挿通口を設ける。
【００１３】
（７）上記(５)または(６)項において、配線ダクトの前面を、前面パネルの後面に近接または当接させる。
【００１４】
（８）上記(１)〜(７)項のいずれかにおいて、前面パネルの上端の高さを、このパネルと近接する前方に設置された机等の天板の上面と等高、もしくはやや下位となるようにする。
【００１５】
（９）上記(１)〜(８)項のいずれかにおいて、パネル支持体におけるスペーサ部材の取付部から上下方向に外れた部分に、左右方向を向くとともに、前面に前方に開口するあり溝状の係止溝を有する横杆を設け、この横杆の係止溝に、オプション部材を、前面パネルの前方に突出するようにして取付ける。
【発明の効果】
【００１６】
上記(１)項に記載の発明によれば、前面パネルを、パネル支持体の前面と離間する前方に、スペーサ部材を介して取付け、パネル支持体とパネルとの対向面間に通線空間を形成したことにより、この通線空間内に、ケーブル等を大量に収容して配線することができる。
また、スペーサ部材の上面を前面パネルの上端よりも下方に配置して、スペーサ部材の上面を配線トレーとしたことにより、大容量のケーブル等を、前方より目立たないようにして、左右方向に整然と配線することができる。
さらに、通線空間は、上方と左右両方向に開口しているので、前面パネルと近接して設置された机等に載置したＯＡ機器のケーブルを、通線空間内に上方より引き込んだり、通線空間に収容したケーブルを左右方向に引き出して、左右方向に複数連結された間仕切りパネルの通線空間内に容易に配線したりすることができる。
【００１７】
上記(２)項に記載の発明によれば、前面パネルを、パネル支持体に取付けた上部パネル支持部材と下部パネル支持部材の前端部に、着脱自在に係止したことにより、通線空間内へのケーブル等の配線作業を、前面パネルを簡単に取外して行うことができるので、作業能率が向上する。
【００１８】
上記(３)項に記載の発明によれば、上部パネル支持部材は、通線空間の上部を覆うカバー部材と、配線トレーとを兼ねているので、これらの部材を別途取付ける必要がなく、部品点数を削減することができる。
また、通線空間の内部が、上部パネル支持部材により体裁よく覆われるとともに、上部パネル支持部材上に大容量のケーブル等を載置して、左右方向に整然と配線することができる。
【００１９】
上記(４)項に記載の発明によれば、ケーブル等を、上部パネル支持部材の配線挿通口を介して、通線空間内に引き込んだり、通線空間内部より上方に引き出したりすることができる。
【００２０】
上記(５)項に記載の発明によれば、配線ダクト上に、大容量のケーブル等を載置して、左右方向に整然と配線しうるとともに、配線ダクトの上下位置を変更して、ケーブル等の配線方向を上下に変えることができる。
【００２１】
上記(６)項に記載の発明によれば、ケーブル等を、配線ダクトの配線挿通口を介して、上下方向にも配線しうるので、使い勝手がよくなる。
【００２２】
上記(７)項に記載の発明によれば、前面パネルが後方に押圧されても、後方に撓んだり、凹んだりする恐れが小さくなる。
【００２３】
上記(８)項に記載の発明によれば、机上で使用されるＯＡ機器のケーブル等を、通線空間の上端より、その内部に容易に、かつ最短で引き込むことができる。
また、机等を前面パネルと近接する前方に設置した際、前面パネルが、机等の幕板としての機能も兼ねるので、机等と間仕切りパネルとが一体感を呈し、体裁がよくなる。
【００２４】
上記(９)項に記載の発明によれば、パネル支持体における横杆の前面に形成された係止溝を利用して、オプション部材を取付けているので、それ専用の取付部材を別途間仕切りパネルに取付ける必要がなく、部品点数が削減される。
また、オプション部材を取付けることにより、間仕切りパネルの機能や用途が拡がり、これを多目的に使用することができる。
さらに、上下の横杆における係止溝に跨るように取り付ければ、サイドパネル等の重量の大きなオプション部材でも、安定して取付けることができる。
【発明を実施するための最良の形態】
【００２５】
以下、本発明の実施形態を、図面に基づいて説明する。
図１は、本発明の間仕切りパネルの第１の実施形態を備え、机１の後方に近接して設置される間仕切り２の斜視図、図２は、間仕切り２の拡大正面図、図３は、間仕切り２の分解斜視図、図４は、間仕切りパネルの一部切欠き拡大側面図である。
【００２６】
間仕切り２は、机１の高さとほぼ同じ上下寸法の互いに連結された左右２枚の間仕切りパネル３、３と、両間仕切りパネル３の上端にまたがって取付けられた、間仕切り２の左右寸法とほぼ等しい左右寸法の目隠しパネル４(図３においては図示略)とからなっている。
【００２７】
図３及び図４に示すように、左右の各間仕切りパネル３は、床面に立設された左右方向を向くパネル支持体５と、各パネル支持体５の上端部と下端部とに、それぞれ前方に突出させて取付けられた左右１対ずつの上部パネル支持部材６、６及び下部パネル支持部材７、７と、パネル支持体５の上下方向の中間部に、前方に突出させて取付けられた物品取付部材８と、上部パネル支持部材６と物品取付部材８間において、パネル支持体５に、前方に突出させて取付けられた配線ダクト９と、上下のパネル支持部材６、７により支持された鋼板製の前面パネル１０とを備えている。
【００２８】
上下のパネル支持部材６、７は、前面パネル１０を、パネル支持体５の前面より前方に離間させて支持することにより、パネル支持体５と前面パネル１０との間に、通線空間及び物品収納空間を形成するためのスペーサ部材としての機能も有しており、また左右の上部パネル支持部材６、６は、カバー部材と配線トレーの機能をも兼ね備えている。
【００２９】
パネル支持体５は、下端の左右に高さ調整用のアジャスタ１１、１１が取付けられ、かつ互いに対向する内側面と外側面とに、それぞれ上下方向を向く凹溝１２、１３が形成された概ね角管状の左右１対の支柱１４、１４と、左右の支柱１４、１４にまたがって、それらの対向面の凹溝１２の上端と中央部とに左右両端部が挟入され、溶接等により固着された横杆１５、１５とからなっている。各支柱１４の前後両面における外側縁部には、縦長の係合孔１６が多数列設されている。
【００３０】
上記目隠しパネル４は、その両側端部下面に突設した支持杆１７、１７を、最外方の２本の支柱１４における角形孔に上方より嵌合することにより、左右のパネル支持体５の上端に、取外し可能に取付けられている。
左右のパネル支持体５の後面には、目隠し用の後面パネル１８、１８が取付けられている(図３においては図示略)。
【００３１】
左右の上部パネル支持部材６は、側面視上向きコ字状をなし、左右両側端部の内面には、上向きコ字状をなす１対の係止部材１９、１９が溶接され、その後部側の起立片１９aの上端には、後向き水平の取付片１９bが連設されている。
左右の上部パネル支持部材６における外側の係止部材１９の前端の起立片１９cには、係止手段としての上向き鉤状の係止爪２０が、前向きに突設されている(図４参照)。
【００３２】
図５に示すように、各上部パネル支持部材６は、それらの左右の係止部材１９の取付片１９bを、パネル支持体５における上部の横杆１５の下面にねじ２１により固定することにより、パネル支持体５の前面より前方に突出するように取付けられ、かつ、上部パネル支持部材６、６の対向面間には、上下方向に開口する配線挿通口２２が形成されている(図２、図３参照)。なお、上部パネル支持部材６は、左右方向に長い１個のものとしてもよく、その際には、その左右方向の中間部を切り欠いて開口するなどして、配線挿通口２２を形成すればよい。
【００３３】
左右のパネル支持体５の下端部に取り付けられる左右１対の下部パネル支持部材７、７は、左右対称をなし、支柱１４の対向面の凹溝１２に嵌合可能な平面視内向きコ字状の取付片７aと、その前面の内側縁より前方に突出する垂直平板状の支持片７bとからなり、取付片７aを凹溝１２の下端部に嵌合した状態で、内側方より螺合したねじ２３(図４参照)により、支柱１４の下端部の内側面に固着されている。支持片７bの前端部の上面には、前面パネル１０の下端部を係止して保持する(詳細は後述する)、係止手段としての側面視逆山形状の係止溝２４が形成されている。
【００３４】
上記物品取付部材８は、後面に側面視後向きコ字状の補強杆２５が固着された左右方向を向く基板２６と、この基板２６の両側端部の前面に固着され、かつ外側縁に、下向き鉤状の３個の係止爪２７を後向きに突設してなる左右１対の係止部材２８、２８と、両係止部材２８よりも内方の基板２６の両側部前面に固着された、前方に突出する左右１対の箱形突部２９、２９とからなっている。
【００３５】
左右の箱形突部２９の上面には、物品を固定するためのめねじ孔３０が穿設され、また、右方の箱形突部２９の外側面には、前面パネル１０に設けた後記する施錠装置のデッドボルトが係脱しうる施錠孔３１が穿設されている。
【００３６】
物品取付部材８をパネル支持体５の前面に取付けるには、左右の係止部材２８における３個の係止爪２７を、左右の支柱１４における互いに等高をなす３個の係合孔１６に係合させたのち、図２〜図４に示すように、基板２６の両側端部に穿設された取付孔３２に前方より挿入した止めねじ３３を、各支柱１４の前面に穿設されためねじ孔３５に螺合して締め付ける。
【００３７】
取付後の物品取付部材８における左右の箱形突部２９、２９には、それらの上面のめねじ孔３０を利用して、例えば図２に示すように、パソコンのルータＲ等が、両箱形突部２９間に吊支状態で取り付けられる。
【００３８】
上記配線ダクト９は、図３及び図４に示すように、側面視上向きコ字状をなし、その両側端部の切欠部の内面に溶接された側面視前向きＬ字状の係止部材３６、３６の外側縁には、それぞれ上下２個ずつの下向き鉤状の係止爪３７が、後向きに突設されている。配線ダクト９の左右方向の中間部には、その前部側を一部切り欠くことにより、上下方向に開口する配線挿通口３８が形成されている。
【００３９】
配線ダクト９は、左右の係止部材３６における２個の係止爪３７を、左右の支柱１４における互いに等高をなす上下２個の係合孔１６に係合させることにより、上部パネル支持部材６と物品取付部材８との間のパネル支持体５の前面に、前方に突出するようにして取付けられている。なお、配線ダクト９は、支柱１４に列設された上下の係合孔１６の位置を選択することにより、上下の取付位置を任意に変更することができる。
【００４０】
後面図である図６、及び拡大縦断側面図である図７に詳細を示すように、上記前面パネル１０は、パネル支持体５の上下寸法よりも若干短寸の方形に形成され、その周縁には、後向きの縁片１０aが、一体的に連設され、かつ上部と下部には、縦長スリット状の通気孔３９が、左右方向に沿って多数形成されている。
また、上方寄りの左右両側部に穿設された横長の１対の開口４０、４０には、前面が開口するとともに、若干後ろ上方に湾曲する概ね前向きコ字状断面をなす合成樹脂製の把手４１、４１が嵌め込まれている。
【００４１】
前面パネル１０の後面の上端部には、側面視前向きコ字状断面の補強部材４２が、スポット溶接等により固着され、その後面の左右両端部には、上記左右の上部パネル支持部材６における係止爪２０に係合可能な係止手段、すなわち縦長スリット状の係合孔４３、４３が穿設されている。
また、前面パネル１０の後面の下端部には、両側端部が側面視概ねＳ字状断面をなす補強部材４４が、スポット溶接等により固着され、この補強部材４４における両側端部の上端には、上記左右の下部パネル支持部材７の係止溝２４に上方より係合可能な係止手段、すなわち下向係合片４４a、４４aが、一体的に形成されている。
【００４２】
前面パネル１０の後面における中央部よりもやや上方寄りの左端部(正面視においては右端部)、すなわち、物品取付部材８における右方の箱形突部２９と等高をなす位置には、シリンダ錠等の施錠装置４５が、キー差込み部４５aをパネル前面側に若干突出させて取付けられている。この施錠装置４５には、キーの施錠操作により内側方(図６において右方)に移動し、物品取付部材８の右方の箱形突部２９の施錠孔３１に進入可能なデッドボルト４６が、左右方向に移動可能に取付けられている。
【００４３】
左右の前面パネル１０は、その下端部の補強部材４４における左右両側部の下向係合片４４a、４４aを、左右の下部パネル支持部材７、７の係止溝２４に落とし込んで係合させ、かつ上端部の補強部材４２における左右１対の係合孔４３、４３を、左右の上部パネル支持部材６、６に設けた係止爪２０に係合させることにより、実質的にパネル支持体５に、その前面から前方に離間するようにして取付けられ、前面パネル１０とパネル支持体５との対向面間には、左右両側方と下方及び一部が上方に開口する前後幅の比較的大きな通線及び物品収容空間Ｓが形成される(図１、図４参照)。
【００４４】
前面パネル１０をパネル支持体５により支持した後、施錠装置４５をキーにより施錠操作すると、デッドボルト４５aが、物品取付部材８における箱形突部２９の施錠孔３１に突入して係合することにより、前面パネル１０は施錠され、パネル支持体５より取外し不能となる。
なお、前面パネル１０の取付後において、その上端の高さは、机１の天板面とほぼ等高、もしくは天板面よりも若干下位となり、机１で使用されるＯＡ機器等のケーブルを、上方より通線及び物品収容空間Ｓ内に引き込み易いようにしてある。
また、前面パネル１０の後面を、物品取付部材８の箱形突部２９及び配線ダクト９の前面と近接または当接させることにより、前面パネル１０が後方に撓んだり、凹んだりするのを防止することができる。
【００４５】
以上説明したように、第１の実施形態の間仕切りパネルにおいては、前面パネル１０を、パネル支持体５の前面より前方に離間させて取付け、それらの対向面間に、前後幅の比較的大きな通線及び物品収容空間Ｓを設けてあるため、この通線及び物品収容空間Ｓ内に、ＯＡ機器等のケーブルを大量に収容して配線したり、上述したルータＲ等の比較的大きな付属品を収容したりすることができる。
【００４６】
また、左右の上部パネル支持部材６は、配線トレーを兼ねており、かつその下方には配線ダクト９を設けてあるので、それらにケーブルやテーブルタップ等の電気器具を上下２段に載置して、左右方向に整然と配線することができる。しかも、両上部パネル支持部材６の対向面間と配線ダクト９には、それぞれ上下両方向に開口する配線挿通口２２，３８が形成されているので、机１等で使用されるＯＡ機器やルータＲ等のケーブルを、上下方向にも配線することができる。
【００４７】
さらに、前面パネル１０には、これをパネル支持体５から取外し不能とする施錠装置４５が設けられているので、通線及び物品収容空間Ｓ内に収容されるルータＲ等を、管理者以外の者が勝手に操作することができなくなり、セキュリテイが保たれる。
【００４８】
図８は、本発明の間仕切りパネルの第２の実施形態を備える間仕切の分解斜視図、図９は、同じく組立後の斜視図である。
間仕切４７は、上記実施形態と同様、机１(本実施形態では図示略)と近接する後方に設置される間仕切りパネル４８と、その上端に取付けられた目隠しパネル４９とからなっている。
【００４９】
間仕切りパネル４８は、パネル支持体５０と、その前面に取付けられるスペーサ部材５１と、このスペーサ部材５１の前面に装着される前面パネル５２とからなっている。
【００５０】
パネル支持体５０は、上下両面に、左右方向を向く凹溝５３、５３を有する上下１対の横杆５４、５４と、それらの側端部において、上下に対向する凹溝５３内に嵌着された左右１対の縦杆５５、５５とにより、横長枠状に形成され、下部の横杆５４における下面の凹溝５３の両側端部には、下端にアジャスタ５６を有する１対の脚杆５７、５７が嵌着されている。
パネル支持体５０の後面には、目隠し用の後面パネル５８が取付けられている。
【００５１】
目隠しパネル４９は、上記上部の横杆５４の上方に配置され、下面に、上記と同様の左右方向を向く凹溝５３を有する横杆５９と、両横杆５４、５９の互いに対向する凹溝５３、５３の両側端部に嵌着された左右１対の縦杆(左方のものは図示略)６０と、両横杆５４、５９の対向面間に嵌め込まれた前後２枚の塞ぎパネル６１、６１とからなっている。
【００５２】
各横杆５４、５９の前後両面には、前方及び後方に開口し、開口面の上下幅を、奥部内の上下寸法より小とした、あり溝状の係止溝６２、６２が、左右方向に全長に亘って形成されている。
【００５３】
上記スペーサ部材５１は、上下両面を長手方向に沿って凹状に凹ませた左右方向を向く角筒状の上部横フレーム６３と、互いに離間する前後２枚の板状下部横フレーム６４、６４と、上端が上部横フレーム６３の両側端部下面に固定され、かつ下端部の前後両面が、前後の下部横フレーム６４の両側端部に固着された、左右両方向に開口する左右１対の側部フレーム６５、６５とにより、左右寸法がパネル支持体５０のそれとほぼ等しく、かつ上下寸法が、上下の横杆５４、５４の対向面間の寸法とほぼ等しい枠状に形成されている。なお、上部横フレーム６３は、カバー部材も兼ねている。
【００５４】
左右の側部フレーム６５、６５の内部空間における上部と下部には、左右方向の中間部に配線挿通口(図示略)を有する側面視上向きコ字状の配線ダクト６６、６６の両側端部が固定されている。
上部横フレーム６３には、上下両方向に開口する複数の配線挿通口６７が穿設されている。
【００５５】
スペーサ部材５１の前面に、前面パネル５２を、後方よりねじ等により取付けたのち、スペーサ部材５１の後端部を、パネル支持体５０における上下の横杆５４、５４の対向面間に嵌め込み、かつこの状態で、例えば図示しないボルトを、パネル支持体５０の後方より、左右の縦杆５５に設けた取付孔６８に挿通し、両側部フレーム６５の後面に設けためねじ孔(図示略)に螺合することにより、前面パネル５２は、パネル支持体５０の前面より前方に突出するようにして取付けられている。
【００５６】
この第２の実施形態の間仕切りパネル４８においても、前面パネル５２は、スペーサ部材５１を介して、パネル支持体５０の前面よりも前方に離間させて取付けられ、パネル支持体５０と前面パネル５２との対向面間に通線及び物品収容空間Ｓが形成されるとともに、スペーサ部材５１は、左右両方向に開口する枠状をなしているので、スペーサ部材５１内に、大量のケーブル等を収容して左右方向に配線することができる。
【００５７】
また、スペーサ部材５１内には、上下２個の配線ダクト６６が設けられているので、この配線ダクト６６上に、ケーブル等を整然と載置して配線することもできる。
【００５８】
さらに、上部横フレーム６３には、配線挿通口６７が設けられているので、机上のＯＡ機器等のケーブルを、下方に引き込んで配線ダクト６６に沿って配線することもできる。
上部横フレーム６３の上面は、凹状に凹ませてあり、かつ角筒状をなしているので、上部横フレーム６３の筒部内を配線ダクトとして使用しうるとともに、上面を配線トレーとして利用することもできる。
【００５９】
上下の各横杆５４、５４の前面に形成された係止溝６２を利用して、例えば図９の２点鎖線に示すように、サイドパネル６９を、間仕切４７の前面と直交するように取り付けたり、その他、作業用天板や棚板等のオプション部材を取り付けたりすることができる。
【００６０】
上記実施形態では、パネル支持体５、５０の前面側にのみ、通線及び物品収容空間Ｓを設けたが、机１を、間仕切２を挟んで背中合わせに設置する際等には、パネル支持体５、５０の後面にも、上記実施形態と同一構造のパネル支持部材６、７やスペーサ部材５１を介してパネルを取付け、前後両面に通線及び物品収容空間Ｓを設けてもよい。この際には、前後の通線及び物品収容空間同士の少なくとも一部を連通させ、ケーブル等を前後方向にも配線しうるようにするのがよい。
【００６１】
また、上記第１の実施形態では、間仕切パネル３の上下寸法を、机１の高さとほぼ等高をなすものとしたが、間仕切り２を、机１の高さよりも大きい上下寸法とし、その前面に、上下寸法の大きな間仕切パネル３を取付けてもよい。この際には、スペーサ部材としての上部パネル支持部材６を、上下方向の中間部に設けることもある。
【図面の簡単な説明】
【００６２】
【図１】机の後方に近接して設置される、本発明の間仕切りパネルの第１の実施形態を備える間仕切りの斜視図である。
【図２】同じく、右側の間仕切りパネルの前面パネルを取外した状態の間仕切りの正面図である。
【図３】同じく、間仕切りパネルの分解斜視図である。
【図４】同じく、間仕切りパネルの一部切欠き拡大側面図である。
【図５】図４のＡ部の詳細を示す拡大図である。
【図６】前面パネルの拡大後面図である。
【図７】図６のVII-VII線拡大縦断側面図である。
【図８】本発明の間仕切りパネルの第２の実施形態を備える間仕切りの分解斜視図である。
【図９】同じく、組立後の斜視図である。
【符号の説明】
【００６３】
１    机
２    間仕切り
３    間仕切りパネル
４    目隠しパネル
５    パネル支持体
６    上部パネル支持部材
７    下部パネル支持部材
７a   取付片
７b   支持片
８    物品取付部材
９    配線ダクト
１０  前面パネル
１０a 縁片
１１  アジャスタ
１２  凹溝
１３  凹溝
１４  支柱
１５  横杆
１６  係合孔
１７  支持杆
１８  後面パネル
１９  係止部材
１９a 起立片
１９b 取付片
１９c 起立片
２０  係止孔
２１  ねじ
２２  配線挿通口
２３  ねじ
２４  係止溝
２５  補強杆
２６  基板
２７  係止爪
２８  係止部材
２９  箱形突部
３０  めねじ孔
３１  施錠孔
３２  取付孔
３３  止めねじ
３５  めねじ孔
３６  係止部材
３７  係止爪
３８  配線挿通口
３９  通気孔
４０  開口
４１  把手
４２  補強部材
４３  係合孔
４４  補強部材
４４a 下向係合片
４５  施錠装置
４５a キー差込み部
４６  デッドボルト
４７  間仕切り
４８  間仕切りパネル
４９  目隠しパネル
５０  パネル支持体
５１  スペーサ部材
５２  前面パネル
５３  凹溝
５４  横杆
５５  縦杆
５６  アジャスタ
５７  脚杆
５８  後面パネル
５９  横杆
６０  縦杆
６１  塞ぎパネル
６２  係止溝
６３  上部横フレーム
６４  下部横フレーム
６５  側部フレーム
６６  配線ダクト
６７  配線挿通口
６８  取付孔
６９  サイドパネル
Ｓ    通線及び物品収容空間
Ｒ    ルータ
【図１】
0005254574.tif 000002
【図２】
0005254574.tif 000003
【図３】
0005254574.tif 000004
【図４】
0005254574.tif 000005
【図５】
0005254574.tif 000006
【図６】
0005254574.tif 000007
【図７】
0005254574.tif 000008
【図８】
0005254574.tif 000009
【図９】
0005254574.tif 000010